(57)【要約】【課題】商品またはサービスに対するユーザの購買意欲を高めることができる情報処理装置、情報処理方法および情報処理プログラムを提供する。【解決手段】本願に係る情報処理装置は、取得部と、決定部とを備える。取得部は、販売対象の商品またはサービスに関する販売情報を取得する。決定部は、取得部によって取得された販売情報に基づいて、商品またはサービスを購入するための購入画面に一覧で表示される店舗の情報であって、商品またはサービスを所定の価格で販売する店舗の情報を決定する。【選択図】図１
2019113894.tif 000002
【特許請求の範囲】
【請求項１】
販売対象の商品またはサービスに関する販売情報を取得する取得部と、
前記取得部によって取得された前記販売情報に基づいて、前記商品またはサービスを購入するための購入画面に一覧で表示される店舗の情報であって、前記商品またはサービスを所定の価格で販売する店舗の情報を決定する決定部と
を備えることを特徴とする情報処理装置。
【請求項２】
前記所定の価格を所定の条件を満たす場合に下げる価格変更部
をさらに備えることを特徴とする請求項１に記載の情報処理装置。
【請求項３】
前記価格変更部は、
前記所定の価格を時間の経過に応じて下げる
ことを特徴とする請求項２に記載の情報処理装置。
【請求項４】
前記決定部は、
前記価格変更部によって前記所定の価格が下げられた場合、一覧で表示される前記店舗の情報を、下げられた前記所定の価格で販売可能な前記店舗の情報に更新する
ことを特徴とする請求項２または３に記載の情報処理装置。
【請求項５】
前記取得部は、
前記販売情報を記憶する第１記憶部に記憶されている前記販売情報に含まれる前記所定の価格の情報と、前記所定の価格の変更に関する変更情報を記憶する第２記憶部に記憶されている前記変更情報とを取得し、
前記価格変更部は、
前記取得部によって取得された前記所定の価格の情報と前記変更情報とに基づいて、前記所定の価格を下げる
ことを特徴とする請求項２〜４のいずれか一つに記載の情報処理装置。
【請求項６】
前記商品またはサービスの残数を示す残数情報を、前記決定部によって決定された前記店舗の情報とともに提供する提供部
をさらに備えることを特徴とする請求項１〜５のいずれか一つに記載の情報処理装置。
【請求項７】
前記商品またはサービスの購入に関連するユーザの情報を、前記決定部によって決定された前記店舗の情報とともに提供する提供部
をさらに備えることを特徴とする請求項１〜６のいずれか一つに記載の情報処理装置。
【請求項８】
前記店舗ごとに設定される、前記商品またはサービスの下限の価格である最低価格を示す最低価格情報を、前記決定部によって決定された前記店舗の情報とともに提供する提供部
をさらに備えることを特徴とする請求項１〜７のいずれか一つに記載の情報処理装置。
【請求項９】
前記決定部は、
前記最低価格情報に基づいて、一覧で表示される店舗の情報における前記店舗の表示順を決定する
ことを特徴とする請求項８に記載の情報処理装置。
【請求項１０】
前記取得部は、
前記店舗に対するユーザの評価に関する情報、前記店舗の販売実績に関する情報、前記店舗における前記商品の発送に関する情報、および、前記店舗の広告に関する情報のうちの少なくともいずれか一つを含む店舗関連情報を取得し、
前記決定部は、
前記取得部によって取得された前記店舗関連情報に基づいて、一覧で表示される店舗の情報における前記店舗の表示順を決定する
ことを特徴とする請求項１〜９のいずれか一つに記載の情報処理装置。
【請求項１１】
コンピュータが実行する情報処理方法であって、
販売対象の商品またはサービスに関する販売情報を取得する取得工程と、
前記取得工程によって取得された前記販売情報に基づいて、前記商品またはサービスを購入するための購入画面に一覧で表示される店舗の情報であって、前記商品またはサービスを所定の価格で販売する店舗の情報を決定する決定工程と
を含むことを特徴とする情報処理方法。
【請求項１２】
販売対象の商品またはサービスに関する販売情報を取得する取得手順と、
前記取得手順によって取得された前記販売情報に基づいて、前記商品またはサービスを購入するための購入画面に一覧で表示される店舗の情報であって、前記商品またはサービスを所定の価格で販売する店舗の情報を決定する決定手順と
をコンピュータに実行させることを特徴とする情報処理プログラム。
【発明の詳細な説明】
【技術分野】
【０００１】
本発明は、情報処理装置、情報処理方法および情報処理プログラムに関する。
【背景技術】
【０００２】
近年、インターネットの飛躍的な普及に伴い、ネットワークを介した商品またはサービス（以下「商品等」と記載する場合がある）の販売が盛んに行われている。そこで、例えば、商品等に対するユーザの購買意欲を高めるため、商品等を購入するための購入画面において、商品等の価格を段階的に割引していく技術が提案されている（例えば、特許文献１参照）。
【先行技術文献】
【特許文献】
【０００３】
【特許文献１】特開２０１４−１７８７２９号公報
【発明の概要】
【発明が解決しようとする課題】
【０００４】
しかしながら、従来技術には、商品等に対するユーザの購買意欲を高めるという点でさらなる改善の余地があった。
【０００５】
本願は、上記に鑑みてなされたものであって、商品またはサービスに対するユーザの購買意欲を高めることができる情報処理装置、情報処理方法および情報処理プログラムを提供することを目的とする。
【課題を解決するための手段】
【０００６】
本願に係る情報処理装置は、取得部と、決定部とを備える。前記取得部は、販売対象の商品またはサービスに関する販売情報を取得する。前記決定部は、前記取得部によって取得された前記販売情報に基づいて、前記商品またはサービスを購入するための購入画面に一覧で表示される店舗の情報であって、前記商品またはサービスを所定の価格で販売する店舗の情報を決定する。
【発明の効果】
【０００７】
実施形態の一態様によれば、商品またはサービスに対するユーザの購買意欲を高めることができる。
【図面の簡単な説明】
【０００８】
【図１】図１は、第１実施形態に係る情報処理の一例を示す説明図である。
【図２】図２は、情報処理システムの構成例を示す図である。
【図３】図３は、ユーザ端末の構成例を示す図である。
【図４】図４は、情報処理装置の構成例を示す図である。
【図５】図５は、販売情報記憶部の一例を示す図である。
【図６】図６は、変更情報記憶部の一例を示す図である。
【図７】図７は、店舗関連情報記憶部の一例を示す図である。
【図８】図８は、ページ情報記憶部の一例を示す図である。
【図９】図９は、ユーザ端末に表示された購入画面例を示す図である。
【図１０】図１０は、ユーザ端末に表示された購入画面例を示す図である。
【図１１】図１１は、ユーザ端末に表示された購入決定画面例を示す図である。
【図１２】図１２は、情報処理装置における情報処理の流れを示すフローチャートである。
【図１３】図１３は、第２実施形態に係る情報処理装置の構成例を示す図である。
【図１４】図１４は、ユーザ行動情報記憶部の一例を示す図である。
【図１５】図１５は、ユーザ端末に表示された購入画面例を示す図である。
【図１６】図１６は、プログラムを実行するコンピュータのハードウェア構成の一例を示す図である。
【発明を実施するための形態】
【０００９】
以下に、本願に係る情報処理装置、情報処理方法および情報処理プログラムを実施するための形態（以下、「実施形態」と呼ぶ）について図面を参照しつつ詳細に説明する。なお、この実施形態により本願にかかる情報処理装置、情報処理方法および情報処理プログラムが限定されるものではない。
【００１０】
（第１実施形態）
〔１．情報処理〕
まず、第１実施形態に係る情報処理の一例について図１を参照して説明する。図１は、第１実施形態に係る情報処理の一例を示す説明図である。
【００１１】
図１に示すように、情報処理装置５０は、ユーザＵに対し、商品またはサービスの情報の提供処理をしたり、商品またはサービスの販売処理をしたりすることができるサーバ等である。なお、情報処理装置５０は、単体の処理装置である必要はなく、クラウドシステム等の複数の処理装置が協調して動作することで実現されてもよい。また、以下では、商品およびサービスのうち、商品の販売処理等が行われる場合を例にとって説明するが、以下の説明は、サービスの販売処理等が行われる場合にも適用することができる。
【００１２】
端末装置１０，４０ａ，４０ｂは、情報処理装置５０とネットワークＮ（図２参照）を介して通信を行うことができる機能を有する装置である。端末装置１０は、ユーザＵによって使用される。また、端末装置４０ａは、商品を販売する店舗（ストアＡ）を管理する店舗管理者Ｐａによって使用される一方、端末装置４０ｂは、商品を販売する店舗（ストアＢ）を管理する店舗管理者Ｐｂによって使用される。
【００１３】
したがって、以下では、端末装置１０を「ユーザ端末１０」、端末装置４０ａ，４０ｂを「店舗端末４０ａ，４０ｂ」と記載する場合がある。また、店舗端末４０ａ，４０ｂを特に区別せずに説明する場合には「店舗端末４０」と記載し、店舗管理者Ｐａ，Ｐｂを特に区別せずに説明する場合には「店舗管理者Ｐ」と記載する。
【００１４】
なお、図１や後述する図２などに示すユーザ端末１０や店舗端末４０の台数は、あくまでも例示であって限定されるものではない。また、本明細書における「店舗」は、実在する店舗や仮想的な店舗などを含むものとし、要は商品を販売可能であれば、どのような形態の店舗であってもよい。
【００１５】
図１に示す例では、まず、情報処理装置５０は、販売対象の商品に関する販売情報を店舗端末４０ａ，４０ｂから受け付ける（ステップＳ１）。ここでの「商品」は、同じ商品であり、言い換えると、ストアＡでもストアＢでも取り扱っている商品であるものとする。なお、図１では、かかる商品が「バッグＡ」である場合を例にとって説明する。
【００１６】
このように、情報処理装置５０は、同じ商品の販売情報を複数のストア（店舗）Ａ，Ｂから受け付ける。なお、本実施形態に係る情報処理装置５０は、所定の時間に限り、商品の価格を段階的に下げる、所謂プライスダウン方式のタイムセールを行って商品を販売するが、これについては後述する。したがって、上記した商品の販売情報には、例えば、商品の画像や詳細説明、在庫数に加え、タイムセールにおける開始価格、最低価格などの各種情報が含まれてもよい。かかる商品の販売情報については、図５を参照して後に説明する。
【００１７】
なお、上記では、情報処理装置５０は、商品の販売情報をストアＡ，Ｂから同じタイミングで受け付けるようにしたが、これに限定されるものではなく、例えば、商品の販売情報をストアＡから受け付けて販売を開始した後に、商品の販売情報をストアＢから受け付けてもよい。
【００１８】
上記した販売情報は、情報処理装置５０の記憶部７０（図４参照）に記憶される。そして、情報処理装置５０は、例えば、上記したタイムセールなどで商品の販売を開始する際、記憶部７０に記憶された商品の販売情報を取得する（ステップＳ２）。
【００１９】
次いで、情報処理装置５０は、取得された販売情報に基づいて、商品を購入するための購入画面に一覧で表示される店舗の情報を決定する（ステップＳ３）。その際、情報処理装置５０は、一覧で表示される店舗の情報が、商品たるバッグＡを所定の価格（ここでは、例えば開始価格である￥３００００）で販売することのできる店舗の情報となるように決定する。なお、図１の例では、一覧で表示される店舗の情報としてストアＡ，Ｂの情報が決定されたものとする。
【００２０】
そして、例えば、ユーザＵが商品たるバッグＡの購入を検討または所望する場合、ユーザ端末１０は、ユーザＵの操作により、商品の販売情報の要求を情報処理装置５０に対して行う（ステップＳ４）。
【００２１】
情報処理装置５０は、かかる要求に応じて、商品の販売情報と、決定された店舗の情報の一覧とをユーザ端末１０へ提供する（ステップＳ５）。これにより、ユーザ端末１０の表示部１２には、購入画面において、商品の販売情報および店舗の情報の一覧が表示される。
【００２２】
図１では、かかる表示部１２の購入画面の一例を示している。図１に示すように、表示部１２には、商品たるバッグＡの画像や現在の価格、商品詳細などの販売情報とともに、ストアＡの情報とストアＢの情報とが一覧で表示される。具体的には、表示部１２において、表示欄１１０ａにストアＡの情報が、表示欄１１０ｂにストアＢの情報が一覧で表示される。
【００２３】
このように、本実施形態にあっては、商品たるバッグＡに対し、所定の価格、換言すると同じ価格で販売している店舗の情報を決定し、決定された店舗の情報の一覧をユーザ端末１０へ提供して、表示部１２に表示されるようにした。
【００２４】
これにより、本実施形態において、ユーザＵは、店舗の選択肢が広がって店舗を選び易くなり、結果として商品に対するユーザＵの購買意欲を高めることができる。
【００２５】
次いで、例えば、ユーザＵがバッグＡをストアＡで購入することを所望した場合、ユーザ端末１０は、ユーザＵの操作により、商品の購入要求を情報処理装置５０に対して行う（ステップＳ６）。かかる購入要求は、例えば、ユーザＵが表示部１２に表示される「カートに入れる」ボタン１２０ａを押下する決済前操作を行った後、続いて表示される購入決定画面（図１１参照）でボタン２０４を押下する購入決定操作によって行われる。
【００２６】
そして、情報処理装置５０は、かかる購入要求に応じ、ストアＡでの決済などの販売処理を行う（ステップＳ７）。
【００２７】
〔２．情報処理システム１〕
図２は、情報処理システム１の構成例を示す図である。図２に示すように、本実施形態に係る情報処理システム１は、ユーザ端末１０と、店舗端末４０と、情報処理装置５０とを備える。
【００２８】
ユーザ端末１０と、店舗端末４０と、情報処理装置５０とは、ネットワークＮを介して無線または有線で互いに通信可能に接続される。ネットワークＮは、例えば、ＬＡＮ（Local  Area  Network）や、インターネットなどのＷＡＮ（Wide  Area  Network）である。
【００２９】
ユーザ端末１０および店舗端末４０は、例えば、スマートフォン、タブレット端末、ＰＤＡ（Personal  Digital  Assistant）、ノート型ＰＣ（Personal  Computer）、デスクトップ型ＰＣ等により実現される。
【００３０】
店舗端末４０は、店舗管理者Ｐａ，Ｐｂ（図１参照）の操作に従って、商品に関する販売情報（例えば、商品の価格に関する情報や在庫情報等）を情報処理装置５０へ送信することができる。また、店舗端末４０は、例えば、商品がユーザＵによって購入された場合、かかる購入の通知を情報処理装置５０から受信する。そして、店舗端末４０は、商品をユーザＵへ発送する処理などを行うことができる。
【００３１】
次いで、上記したユーザ端末１０および情報処理装置５０の構成について具体的に説明する。
【００３２】
〔３．ユーザ端末１０〕
図３は、ユーザ端末１０の構成例を示す図である。図３に示すように、ユーザ端末１０は、通信部１１と、表示部１２と、入力部１３と、制御部２０と、記憶部３０とを備える。
【００３３】
〔３．１．通信部１１〕
通信部１１は、ネットワークＮと有線または無線で接続され、情報処理装置５０との間で情報の送受信を行う。例えば、通信部１１は、ＮＩＣ（Network  Interface  Card）等によって実現される。
【００３４】
〔３．２．表示部１２〕
表示部１２は、上記した商品の販売情報や店舗の情報の一覧など各種の情報等を表示する表示デバイスである。例えば、表示部１２は、ＬＣＤ（Liquid  Crystal  Display）や有機ＥＬディスプレイである。また、表示部１２は、タッチパネル式のディスプレイであるが、これに限定されるものではない。
【００３５】
〔３．３．入力部１３〕
入力部１３は、ユーザＵから各種操作を受け付ける入力デバイスである。入力部１３は、例えば、文字や数字などを入力するためのボタン等を有する。また、表示部１２がタッチパネル式のディスプレイである場合、表示部１２の一部が入力部１３として機能する。
【００３６】
〔３．４．記憶部３０〕
記憶部３０は、例えば、ＲＡＭ（Random  Access  Memory）、フラッシュメモリ（Flash  Memory）等の半導体メモリ素子、または、ハードディスク、光ディスク等の記憶装置によって実現される。かかる記憶部３０には、各種プログラムや設定データなどが記憶される。
【００３７】
〔３．５．制御部２０〕
制御部２０は、コントローラ（controller）であり、例えば、ＣＰＵ（Central  Processing  Unit）、ＲＯＭ（Read  Only  Memory）、ＲＡＭ、入出力ポートなどを有するマイクロコンピュータや各種の回路を含む。また、制御部２０は、例えば、ＡＳＩＣ（Application  Specific  Integrated  Circuit）やＦＰＧＡ（Field  Programmable  Gate  Array）等の集積回路等のハードウェアで構成されてもよい。制御部２０は、送信部２１と、受信部２２と、処理部２３とを備える。
【００３８】
〔３．５．１．送信部２１〕
送信部２１は、入力部１３で受け付けたユーザ操作に従って、各種の情報や要求を通信部１１を介して情報処理装置５０へ送信することができる。例えば、送信部２１は、ユーザ操作に従って、上記した商品の販売情報の要求や商品の購入要求を情報処理装置５０へ送信することができる。
【００３９】
〔３．５．２．受信部２２〕
受信部２２は、情報処理装置５０から提供される、商品の販売情報や店舗の情報の一覧などの各種情報を通信部１１を介して受信することができる。
【００４０】
〔３．５．３．処理部２３〕
処理部２３は、表示部１２等を含め、ユーザ端末１０全体を制御する。例えば、処理部２３は、受信部２２によって受信された商品の販売情報や店舗の情報の一覧を表示部１２へ出力して表示させることができる。
【００４１】
〔４．情報処理装置５０〕
図４は、情報処理装置５０の構成例を示す図である。図４に示すように、情報処理装置５０は、通信部５１と、制御部６０と、記憶部７０とを備える。
【００４２】
〔４．１．通信部５１〕
通信部５１は、ネットワークＮと有線または無線で接続され、ユーザ端末１０や店舗端末４０などとの間で情報の送受信を行う。例えば、通信部５１は、ＮＩＣ等によって実現される。
【００４３】
〔４．２．記憶部７０〕
記憶部７０は、例えば、ＲＡＭ、フラッシュメモリ等の半導体メモリ素子、または、ハードディスク、光ディスク等の記憶装置によって実現される。本実施形態に係る記憶部７０は、販売情報記憶部７１と、変更情報記憶部７２と、店舗関連情報記憶部７３と、ページ情報記憶部７４とを備える。
【００４４】
〔４．２．１．販売情報記憶部７１〕
販売情報記憶部７１は、商品に関する販売情報を記憶する。販売情報記憶部７１は、例えば、店舗管理者Ｐによって情報が登録されるが、これに限定されるものではない。なお、販売情報記憶部７１は第１記憶部の一例である。
【００４５】
図５は、販売情報記憶部７１の一例を示す図である。図５に示すように、販売情報記憶部７１には、「商品ＩＤ」、「商品名」、「商品詳細」、「店舗ＩＤ」、「店舗名」、「開始価格」、「最低価格」および「在庫数」のそれぞれの情報が含まれ、これらの情報は互いに関連付けられている。
【００４６】
「商品ＩＤ」は、販売対象となる商品毎に割り当てられる識別情報である。「商品名」は、商品の名称を示す情報である。「商品詳細」は、例えば、商品の製造元、大きさや色など商品に関する詳細な情報である。なお、「商品詳細」には、例えば、商品の静止画像や動画などが含まれていてもよい。また、上記では、「商品詳細」が店舗端末４０によって登録または設定されるようにしたが、これに限定されるものではなく、例えば、商品に対して予め設定されていてもよい。
【００４７】
「店舗ＩＤ」は、店舗毎に割り当てられる識別情報である。「店舗名」は、店舗の名称を示す情報である。
【００４８】
「開始価格」は、例えば、タイムセールが行われる際の開始時の価格に関する情報であり、所定の価格の一例である。なお、「開始価格」が店舗ごとに異なる場合は、例えば、任意の店舗の店舗端末４０によって設定された開始価格を所定の価格としてタイムセールを開始することができるが、これに限られない。
【００４９】
すなわち、例えば、各店舗端末４０によって設定された開始価格のうち最も高い開始価格で開始しても、最も低い開始価格で開始してもよく、さらには、設定された開始価格を平均した平均開始価格で開始してもよい。また、上記では、「開始価格」が店舗端末４０によって設定されるようにしたが、これに限定されるものではなく、例えば、商品の通常価格など商品に対して予め設定された値であってもよい。
【００５０】
「最低価格」は、商品の下限の価格の情報であり、店舗ごとに設定される。言い換えると、「最低価格」は、各店舗において最低限確保したい価格の情報である。「在庫数」は、各店舗における商品の在庫数の情報であり、商品の残数を示す残数情報の一例である。したがって、販売情報記憶部７１の「在庫数」は、商品が１つ購入されるごとに１つ減算されることとなる。
【００５１】
図５では、販売情報記憶部７１の商品ＩＤ「Ａ１」は、商品名が「バッグＡ」であり、かかるバッグＡが販売対象とされたときに、ストアＡ，Ｂ，Ｃの３店舗から商品の販売情報を受け付けた例を示している。
【００５２】
例えば、店舗ＩＤ「Ｓ１」は、店舗名が「ストアＡ」、開始価格が「￥３００００」、最低価格が「￥２４０００」、在庫数が「５０」であることを示している。なお、ストアＣは、タイムセールが既に開始された後に、タイムセールに参加してきた店舗であるものとする。したがって、ストアＣに対応する「開始価格」には、開始価格の情報が登録されていなくてもよい。
【００５３】
〔４．２．２．変更情報記憶部７２〕
図４の説明に戻ると、変更情報記憶部７２は、タイムセールにおいて、商品の価格の変更に関する変更情報を記憶する。詳しくは、変更情報記憶部７２は、所定の価格たる開始価格を下げるための情報を記憶する。なお、ここでは、上記した変更情報は、商品の価格を値引くためのクーポン情報であるが、これに限定されるものではない。また、変更情報記憶部７２は第２記憶部の一例である。
【００５４】
図６は、変更情報記憶部７２の一例を示す図である。図６に示すように、変更情報記憶部７２には、「価格変更ＩＤ」、「値引設定」、「更新間隔」、「開始時間」、「終了時間」および「現在の値引」のそれぞれの情報が含まれ、これらの情報は互いに関連付けられている。
【００５５】
「価格変更ＩＤ」は、商品の価格を変更する手法毎に割り当てられる識別情報である。「値引設定」は、商品の価格の割引の設定に関する情報であり、例えば、割引額や割引率などを示す情報である。「更新間隔」は、商品の価格を段階的に下げる際の価格の更新間隔を示す情報である。
【００５６】
「開始時間」は、商品の価格の値引きを開始する時間、すなわち、タイムセールを開始する時間を示す情報である。「終了時間」は、商品の価格の値引きを終了する時間、すなわち、タイムセールを終了する時間を示す情報である。「現在の値引」は、タイムセール開始後の現在の値引きに関する情報であり、時間の経過とともに更新される情報である。
【００５７】
図６に示す例では、変更情報記憶部７２の価格変更ＩＤ「Ｂ１」は、値引設定が「￥１０００ずつ」、更新間隔が「１０分」であることを示している。すなわち、価格変更ＩＤ「Ｂ１」の価格変更手法がタイムセールにおいて適用された場合、商品の価格が１０分毎に１０００円ずつ段階的に下がっていくことを示している。
【００５８】
また、図６に示す例では、価格変更ＩＤ「Ｂ１」は、開始時刻が「２１：００」、終了時刻が「２２：００」、現在の値引きが「￥１０００引き」であることを示している。なお、後に説明するタイムセールでは、価格変更ＩＤ「Ｂ１」の価格変更手法が適用されるものとする。そのため、価格変更ＩＤ「Ｂ２」に対応する「現在の値引」には、値引きに関する情報が登録されていなくてもよい。
【００５９】
なお、上記した変更情報記憶部７２における各種の情報は、予め設定または登録されるものとするが、これに限定されるものではなく、店舗端末４０によって登録されてもよい。また、タイムセールにおいて適用される価格変更手法は、適宜に選択可能とされる。
【００６０】
〔４．２．３．店舗関連情報記憶部７３〕
店舗関連情報記憶部７３は、商品を販売する店舗に関連する各種の店舗関連情報を記憶する。図７は、店舗関連情報記憶部７３の一例を示す図である。図７に示すように、店舗関連情報記憶部７３には、「店舗ＩＤ」、「評価値」、「販売実績」、「発送までの時間」および「広告」のそれぞれの情報が含まれ、これらの情報は互いに関連付けられている。
【００６１】
「店舗ＩＤ」は、上記したように、店舗の識別情報である。「評価値」は、店舗に対するユーザの評価に関する情報であり、数値が高いほどユーザの評価が良いことを示す情報である。
【００６２】
「販売実績」は、店舗における過去の販売実績に関する情報である。例えば、「販売実績」は、店舗において商品を販売した回数を示す情報であるが、これに限定されるものではない。すなわち、例えば、「販売実績」は、ユーザＵによる購入要求がなされた回数のうち、途中でキャンセルまたは返品された回数の割合を示すキャンセル率の情報など、その他の情報であってもよい。
【００６３】
「発送までの時間」は、商品の発送に関する情報であって、例えば、ユーザＵによる購入要求がなされてから商品を発送するまでに要する時間を示す情報である。「広告」は、店舗の広告に関する情報であり、例えば、店舗が商品を販売するにあたって行った宣伝広告費に関する情報である。なお、図７では、Ａランクは宣伝広告費が最も多く、Ｃランクは宣伝広告費が最も低いことを示している。
【００６４】
例えば、店舗関連情報記憶部７３の店舗ＩＤ「Ｓ１」（すなわちストアＡ）は、評価値が「４．８」、販売実績が「８０００回」、発送までの時間が「２４時間以内」、広告が「Ａランク」であることを示している。
【００６５】
〔４．２．４．ページ情報記憶部７４〕
ページ情報記憶部７４は、商品を販売するサイトにおいて、商品を購入するための購入画面などを含む商品ページに関するページ情報が記憶される。図８は、ページ情報記憶部７４の一例を示す図である。図８に示すように、ページ情報記憶部７４には、「ページＩＤ」、「商品ＩＤ」、「ステータス」、「閲覧数」、「カートに入れた数」および「購入数」のそれぞれの情報が含まれ、これらの情報は互いに関連付けられている。
【００６６】
「ページＩＤ」は、商品ページ毎に割り当てられる識別情報である。「商品ＩＤ」は、上記したように、商品の識別情報である。「ステータス」は、商品ページの状態を示す情報である。かかる商品ページの状態を示す情報としては、例えば、タイムセール中、準備中、タイムセール終了などの情報である。
【００６７】
「閲覧数」は、商品サイトを現在閲覧しているユーザの数を示す情報である。「カートに入れた数」は、商品を購入するべく、購入画面に含まれる「カートに入れる」ボタンを押下したユーザの数、言い換えれば、決済前操作を行ったユーザの数を示す情報である。「購入数」は、実際に商品を購入したユーザの数を示す情報である。なお、上記した「閲覧数」、「カートに入れた数」および「購入数」は、商品の購入に関連するユーザの情報の一例である。
【００６８】
例えば、ページ情報記憶部７４のページＩＤ「Ｃ１」は、商品ＩＤが「Ａ１」（すなわちバッグＡ）、閲覧数が「１００００」、カートに入れた数が「３０」、購入数が「２０」であることを示している。
【００６９】
〔４．３．制御部６０〕
図４の説明に戻ると、制御部６０は、コントローラであり、例えば、ＣＰＵ、ＲＯＭ、ＲＡＭ、入出力ポートなどを有するマイクロコンピュータや各種の回路を含む。かかる制御部６０は、例えば、ＡＳＩＣやＦＰＧＡ等のハードウェアで構成されてもよい。
【００７０】
制御部６０は、受付部６１と、取得部６２と、価格変更部６３と、決定部６４と、提供部６５と、処理部６６とを備える。
【００７１】
〔４．３．１．受付部６１〕
受付部６１は、商品の販売情報を店舗端末４０から受け付ける。受付部６１は、受け付けた商品の販売情報を販売情報記憶部７１に記憶させる。
【００７２】
受付部６１は、ユーザ端末１０から送信される各種の情報や要求を受け付ける。例えば、受付部６１は、ユーザ端末１０から商品の販売情報の要求を受け付けた場合、販売情報の要求を受け付けた旨を提供部６５へ通知する。
【００７３】
また、例えば、受付部６１は、ユーザ端末１０から決済前操作がユーザＵによって行われたことを示す情報、具体的には「カートに入れる」ボタンが押下されたことを示す情報を受け付けた場合、かかる情報を受け付けた旨を提供部６５へ通知する。なお、このとき、受付部６１は、ページ情報記憶部７４の「カートに入れた数」を１つ加算する処理を行ってもよい。
【００７４】
また、例えば、受付部６１は、ユーザ端末１０から購入要求を受け付けた場合、購入要求を受け付けた旨を処理部６６へ通知する。
【００７５】
〔４．３．２．取得部６２〕
取得部６２は、変更情報記憶部７２を読み込んで、商品の価格の変更に関する変更情報を取得する。なお、取得部６２は、取得した変更情報を価格変更部６３へ通知する。
【００７６】
そして、取得部６２は、変更情報に含まれる開始時間の情報に基づき、現在時刻がタイムセールの開始時間になると、各種情報をさらに取得する。例えば、取得部６２は、販売情報記憶部７１を読み出して商品の販売情報を取得する。取得部６２は、取得した商品の販売情報を価格変更部６３や決定部６４、提供部６５へ通知する。
【００７７】
また、取得部６２は、店舗関連情報記憶部７３を読み出して店舗関連情報を取得するとともに、ページ情報記憶部７４を読み出してページ情報を取得する。そして、取得部６２は、取得した店舗関連情報を決定部６４へ、ページ情報を決定部６４や提供部６５へ通知する。
【００７８】
〔４．３．３．価格変更部６３〕
価格変更部６３は、変更情報に基づいて、商品における所定の価格を所定の条件を満たす場合に下げる。これにより、例えば、所定の時間に限り、商品の価格を段階的に下げる、所謂プライスダウン方式のタイムセールを行うことが可能となり、商品に対するユーザＵの購買意欲を高めることができる。
【００７９】
例えば、価格変更部６３は、変更情報記憶部７２（図６参照）に記憶される変更情報に基づき、所定の価格を時間の経過に応じて下げるようにしてもよい。具体的には、価格変更部６３は、商品の価格を１０分毎に１０００円ずつ段階的に下げるようにするが、これに限定されるものではない。このように、商品の価格が時間の経過とともに下がっていくことで、ユーザＵは、商品の価格がさらに下がることを期待し易くなり、よって商品に対するユーザＵの購買意欲をより高めることができる。
【００８０】
なお、上記では、価格変更部６３は、所定の価格を時間の経過に応じて下げるようにしたが、これに限られず、例えば、閲覧数やカートに入れた数、購入数などが所定数以下で、ユーザＵの商品に対する関心が比較的低い場合など、その他の条件を満たした場合に下げてもよい。これにより、ユーザＵの商品に対する関心や購買意欲を高めることが可能となる。
【００８１】
また、上記したように、所定の価格の情報が販売情報記憶部７１に記憶される一方、変更情報は変更情報記憶部７２に記憶される。言い換えると、所定の価格の情報と変更情報とは、別々の記憶部に記憶される。なお、かかる変更情報は、上記したように、クーポン情報である。
【００８２】
そして、価格変更部６３は、所定の価格の情報と変更情報とに基づいて、所定の価格を下げるようにしてもよい。詳しくは、価格変更部６３は、販売情報記憶部７１から読み出された所定の価格の情報に、変更情報たるクーポン情報を適用して演算することで、所定の価格を下げるようにしてもよい。
【００８３】
これにより、本実施形態にあっては、例えば、販売情報記憶部７１に記憶されている所定の価格（開始価格）の情報自体を変更することなく、値引きの処理が可能となる。そのため、例えば、値下げのたびに、販売情報記憶部７１の情報を値下げした所定の価格に書きかえる処理を行う場合に比べて、情報処理装置５０の制御部６０における処理負荷を軽減することができる。
【００８４】
そして、価格変更部６３は、下げられた所定の価格や現在の値引きの情報などを含む変更情報を決定部６４や提供部６５へ通知する。
【００８５】
なお、価格変更部６３による所定の価格を下げる処理は、上記に限られるものではなく、例えば、販売情報記憶部７１に記憶される所定の価格（開始価格）の情報自体を書きかえることで、商品の価格を下げてもよい。
【００８６】
〔４．３．４．決定部６４〕
決定部６４は、取得部６２によって取得された販売情報に基づいて、購入画面に一覧で表示されるとともに、商品を所定の価格で販売する店舗の情報を決定する。なお、商品の販売情報、および、決定部６４によって決定された店舗の情報などは、提供部６５を介してユーザ端末１０へ提供されて購入画面に表示される。
【００８７】
ここで、販売情報や店舗の情報の一覧などが提供されたユーザ端末１０の表示部１２の購入画面例について図９を参照して説明する。図９は、販売情報や店舗の情報の一覧などが表示された購入画面例を示す図である。なお、図９に示す購入画面を含む商品ページでは、タイムセールが既に開始され、商品の価格が下げられた状態（ここでは￥１０００引きされた状態）を示している。
【００８８】
図９に示すように、ユーザ端末１０の表示部１２には、販売対象の商品たるバッグＡの画像１０１ａや現在の価格、商品詳細など情報欄１０１ｂを含む販売情報１０１が表示されるとともに、店舗の情報の一覧も表示される。例えば、表示部１２には、表示欄１１０ａにストアＡの情報が、表示欄１１０ｂにストアＢの情報が一覧で表示される。
【００８９】
このように、本実施形態においては、販売情報に基づいて、商品たるバッグＡを所定の価格（ここでは、現在の価格である￥２９０００）で販売している店舗の情報を決定して一覧で購入画面に表示されるようにした。これにより、本実施形態において、ユーザＵは、店舗の選択肢が広がって店舗を選び易くなり、結果として商品に対するユーザＵの購買意欲を高めることができる。
【００９０】
なお、例えば、タイムセールが開始された後、上記したようにストアＣがタイムセールに参加する場合がある。このとき、決定部６４は、ストアＣの店舗端末４０によって登録された販売情報に基づいて、ストアＣがバッグＡを所定の価格で販売しているか否かを判定する。そして、決定部６４は、ストアＣがバッグＡを所定の価格で販売していると判定された場合、図９に想像線で示すように、表示欄１１０ｃにストアＣの情報が表示されるように、店舗の情報の一覧を決定する。これにより、ユーザＵは、店舗の選択肢がさらに広がって店舗を選び易くなり、商品に対するユーザＵの購買意欲をより高めることができる。
【００９１】
また、決定部６４は、一覧で表示される店舗の情報における店舗の表示順を、各種の情報に基づいて決定することができる。
【００９２】
例えば、決定部６４は、店舗関連情報に含まれる、店舗に対するユーザの評価に関する情報（具体的には評価値の情報）に基づいて店舗の表示順を決定してもよい。詳しくは、決定部６４は、評価値が高い順となるように、店舗の表示順を決定してもよい。これにより、店舗の情報の一覧において、評価値が高い店舗が上位に表示されるため、ユーザＵは安心して店舗を選ぶことができ、よって商品に対するユーザＵの購買意欲をより一層高めることができる。
【００９３】
また、例えば、決定部６４は、店舗関連情報に含まれる、店舗の販売実績に関する情報に基づいて店舗の表示順を決定してもよい。詳しくは、決定部６４は、販売実績が良好な順となるように、店舗の表示順を決定してもよい。これにより、店舗の情報の一覧において、販売実績が良好な店舗が上位に表示されるため、ユーザＵは安心して店舗を選ぶことができ、よって商品に対するユーザＵの購買意欲をより一層高めることができる。
【００９４】
また、例えば、決定部６４は、店舗関連情報に含まれる、店舗における商品の発送に関する情報（具体的には、発送までの時間の情報）に基づいて店舗の表示順を決定してもよい。詳しくは、決定部６４は、発送までの時間が短い順となるように、店舗の表示順を決定してもよい。これにより、店舗の情報の一覧において、発送までの時間が短い店舗が上位に表示されるため、ユーザＵに対して、商品を購入した場合に商品を早期に入手できることを認識させることが可能となり、よって商品に対するユーザＵの購買意欲をより一層高めることができる。
【００９５】
また、例えば、決定部６４は、店舗関連情報に含まれる、店舗の広告に関する情報（具体的には、広告宣伝費の情報）に基づいて店舗の表示順を決定してもよい。詳しくは、決定部６４は、広告宣伝費が多い順（例えばＡ，Ｂ，Ｃランクの順）となるように、店舗の表示順を決定してもよい。これにより、店舗の情報の一覧において、広告宣伝費の比較的多い店舗が上位に表示されることから、かかる店舗でユーザＵは商品を購入し易くなり、結果として広告宣伝費の比較的多い店舗の売り上げにつなげることができる。
【００９６】
また、例えば、決定部６４は、店舗毎に設定される最低価格情報に基づいて店舗の表示順を決定してもよい。詳しくは、決定部６４は、最低価格が低い順となるように、店舗の表示順を決定してもよい。これにより、店舗の情報の一覧において、商品を可能な限り安価で販売しようとしている店舗が上位に表示されることから、かかる店舗でユーザＵは商品を購入し易くなり、結果として最低価格が低い店舗の売り上げにつなげることができる。
【００９７】
なお、上記では、決定部６４は、店舗関連情報や最低価格情報などに基づいて店舗の表示順を決定するようにしたが、これはあくまでも例示であって限定されるものではなく、例えば、商品の販売情報を受け付けた順など、その他の基準で決定してもよい。また、決定部６４は、店舗関連情報等に基づいて、一覧における店舗の情報の表示態様（例えば色や文字の大きさなど）を決定するようにしてもよい。
【００９８】
また、決定部６４は、価格変更部６３によってタイムセール中に所定の価格が下げられた場合、下げられた所定の価格に応じて、一覧で表示される店舗の情報を適宜に更新することができる。かかる更新について図１０を参照して説明する。図１０は、所定の価格が下げられた場合の店舗の情報の一覧などが表示された購入画面例を示す図である。
【００９９】
図１０は、商品の価格がタイムセール中に下げられ、現在の価格、すなわち、下げられた所定の価格が「￥２５０００」である場合を示している（情報欄１０１ｂ参照）。
【０１００】
ここで、ストアＢにおいては、商品の販売情報に含まれる最低価格が「￥２６０００」に設定される（図５参照）。すなわち、現在の価格がストアＢの最低価格を下回っているため、決定部６４は、ストアＢの情報を削除するように、一覧の店舗の情報を更新する。
【０１０１】
このように、決定部６４は、所定の価格が下げられた場合、一覧で表示される店舗の情報を、下げられた所定の価格（ここでは￥２５０００）で販売可能な店舗の情報に更新してもよい。これにより、一覧で表示される店舗の情報を、下げられた所定の価格に即した適切な情報にすることが可能となる。
【０１０２】
〔４．３．５．提供部６５〕
図４の説明を続ける。提供部６５は、上記したように、受付部６１によって受け付けられた販売情報の要求に応じて、現在の価格などを含めた商品の販売情報と、決定された店舗の情報の一覧とをユーザ端末１０へ提供する。
【０１０３】
このとき、例えば、提供部６５は、商品の在庫数の情報を、決定部６４によって決定された店舗の情報とともに提供してもよい。これにより、図９に示すように、購入画面の表示欄１０４に商品の在庫数の情報が表示される。したがって、例えば、商品の在庫数が少なくなったような場合は、ユーザＵに対して早く購入しないと売り切れてしまうという緊張感を与えることが可能となり、よって商品に対するユーザＵの購買意欲をより高めることができる。なお、図９に示す例では、各店舗の在庫を合計した総在庫数の情報を表示するようにしたが、これに限定されるものではない。
【０１０４】
また、提供部６５は、商品の購入に関連するユーザの情報を、決定部６４によって決定された店舗の情報とともに提供してもよい。例えば、提供部６５は、商品の購入に関連するユーザの情報に含まれる「カートに入れた数」の情報を提供してもよい。これにより、図９に示すように、購入画面の表示欄１０５にカートに入れた数の情報が表示される。したがって、例えば、カートに入れた数が比較的多くなったような場合は、ユーザＵに対し、多くの他のユーザが購入しようとしていて、早く購入しないと売り切れてしまうという緊張感を与えることが可能となり、よって商品に対するユーザＵの購買意欲をより高めることができる。
【０１０５】
なお、上記では、商品の購入に関連するユーザの情報として「カートに入れた数」の情報を例として挙げたが、これに限定されるものではない。すなわち、提供部６５は、「カートに入れた数」に代えて、あるいは加えて、「閲覧数」や「購入数」の情報を提供してもよい。なお、商品の購入に関連するユーザの情報は、文字での表示に限られるものではなく、例えばアニメーションや音などを用いて提供されてもよい。
【０１０６】
また、提供部６５は、例えば、図９の表示欄１１０ａ〜１１０ｃにあるように、店舗ごとに設定される商品の最低価格情報を、決定部６４によって決定された店舗の情報とともに提供してもよい。これにより、ユーザＵは、例えば、在庫数の減り方やカートに入れた数の増え方などを確認しながら、商品の価格が最低価格に下がるまで待って購入したり、最低価格に下がる前に購入したりするなど、楽しみながら商品を購入することが可能となり、よってユーザＵの購買意欲をより高めることができる。
【０１０７】
また、提供部６５は、例えば、図９の表示欄１０２にあるように、商品の価格の変更情報、すなわち、クーポン情報を、決定部６４によって決定された店舗の情報とともに提供してもよい。これにより、ユーザＵは、例えば、クーポンによる現在の値引きの情報を容易に確認することが可能となる。
【０１０８】
また、提供部６５は、図９に示すように、購入画面において、「カートに入れる」ボタン１２０ａ〜１２０ｃが店舗の情報ごとに表示される、具体的には、ストアＡ，Ｂ，Ｃの情報を表示する表示欄１１０ａ〜１１０ｃごとに表示されるようにしてもよい。これにより、ユーザＵは、自身で選んだ店舗で容易に商品を購入することができる。
【０１０９】
すなわち、例えば「カートに入れる」ボタン１２０ａ〜１２０ｃのいずれかがユーザＵによって押下されて決済前操作がなされた場合、かかる操作が行われたことを示す情報が受付部６１を介して提供部６５へ通知される。かかる通知に応じて、提供部６５は、商品の購入を決定するための購入決定画面の情報をユーザ端末１０へ提供することができる。
【０１１０】
ここで、ユーザ端末１０の表示部１２の購入決定画面例について図１１を参照して説明する。図１１は、購入決定画面例を示す図である。
【０１１１】
図１１に示すように、ユーザ端末１０の表示部１２の購入決定画面には、販売対象の商品たるバッグＡの画像２０１が表示されるとともに、商品名、価格、店舗名などの各種情報が情報欄２０２に表示されてもよい。
【０１１２】
購入決定画面における表示欄２０３には、適用される価格の変更情報、すなわちクーポン情報が表示されてもよい。なお、表示欄２０３には、クーポンの有効期限を表示してもよく、これによってユーザＵに対して早期の購入を促すことができる。
【０１１３】
また、購入決定画面には、確定ボタン２０４が表示される。そして、ユーザ端末１０は、ユーザＵによって確定ボタン２０４が押下されて購入決定操作がなされると、購入要求を情報処理装置５０へ送信する。なお、上記したように、受付部６１は、購入要求を受け付けた場合、購入要求を受け付けた旨を処理部６６へ通知する。
【０１１４】
〔４．３．６．処理部６６〕
図４の説明に戻ると、処理部６６は、ユーザ端末１０から商品の購入要求を受け付けると、ユーザＵによって選択された店舗で商品の決済などの販売処理を行う。なお、処理部６６は、販売処理が完了したときに、例えば、ページ情報記憶部７４の「購入数」を１つ加算する一方、ページ情報記憶部７４の「カートに入れた数」および販売情報記憶部７１の対応する店舗の「在庫数」を１つ減算する処理を行ってもよい。
【０１１５】
〔５．情報処理装置５０の処理フロー〕
次に、情報処理装置５０における情報処理の手順について説明する。図１２は、情報処理装置５０における情報処理の流れを示すフローチャートであり、かかる処理は繰り返し実行される。また、図１２に示す情報処理は、タイムセール時に実行される。
【０１１６】
図１２に示すように、情報処理装置５０の制御部６０は、商品の販売情報を取得する（ステップＳ１０）。次いで、制御部６０は、購入画面において一覧で表示される店舗の情報を決定する（ステップＳ１１）。
【０１１７】
制御部６０は、時間が経過して商品の価格（所定の価格）を変更するタイミングになったか否かを判定する（ステップＳ１２）。制御部６０は、変更するタイミングであると判定された場合（ステップＳ１２，Ｙｅｓ）、商品の価格を変更して下げる処理を行う（ステップＳ１３）。
【０１１８】
次いで、制御部６０は、店舗の情報の一覧を、下げられた商品の価格（所定の価格）で販売可能な店舗の情報の一覧に更新する（ステップＳ１４）。他方、制御部６０は、変更するタイミングではないと判定された場合（ステップＳ１２，Ｎｏ）、ステップＳ１３，Ｓ１４の処理をスキップする。
【０１１９】
次いで、制御部６０は、ユーザ端末１０から販売情報の要求があるか否かを判定する（ステップＳ１５）。制御部６０は、販売情報の要求がないと判定された場合（ステップＳ１５，Ｎｏ）、以降の処理をスキップする。一方、制御部６０は、販売情報の要求があると判定された場合（ステップＳ１５，Ｙｅｓ）、販売情報および店舗の情報の一覧をユーザ端末１０へ提供する（ステップＳ１６）。
【０１２０】
次いで、制御部６０は、ユーザ端末１０から商品の購入要求があるか否かを判定する（ステップＳ１７）。制御部６０は、購入要求があると判定された場合（ステップＳ１７，Ｙｅｓ）、商品の販売処理を行う（ステップＳ１８）。他方、制御部６０は、購入要求がないと判定された場合（ステップＳ１７，Ｎｏ）、Ｓ１８の処理をスキップする。
【０１２１】
（第２実施形態）
〔６．第２実施形態に係る情報処理装置〕
次に、第２実施形態に係る情報処理装置５０によって行われる情報処理ついて説明する。図１３は、第２実施形態に係る情報処理装置５０の構成例を示す図である。なお、以下においては、第１実施形態と共通の構成については、同一の符号を付して説明を省略する。
【０１２２】
上記したように、販売情報記憶部７１には、商品の静止画像に限らず、商品に関する動画などが含まれることがある。第２実施形態において、かかる動画は、例えば、商品を取り扱う店舗の店舗管理者Ｐを含む従業員や、タレントなどが説明者となって、当該商品の説明や、商品についてのユーザＵからの質問に対する回答などをリアルタイムで行う「ライブ動画」であってもよい。
【０１２３】
そして、例えば、提供部６５は、受付部６１によって受け付けられた販売情報の要求に応じて、上記したライブ動画を商品の販売情報としてユーザ端末１０へ提供することができる。すなわち、第２実施形態に係る情報処理装置５０にあっては、所謂ライブコマースサービスを提供することができる。これにより、ユーザＵは、ユーザ端末１０に表示されるライブ動画を視聴しながら、商品の購入を検討したり、所望したりすることが可能になることから、商品に対してユーザＵに興味や関心を持たせることができ、ユーザＵの購買意欲を高めることができる。
【０１２４】
また、第２実施形態に係る情報処理装置５０は、ライブ動画を提供しつつ販売を行う際、ライブ動画の視聴などを行っているユーザＵの購入に関連する行動を示す行動情報をユーザ端末１０へ提供してもよい。詳しくは、情報処理装置５０は、ライブ動画を提供しつつ販売を行っているときの、ユーザＵの購入に関連する現時点での行動、言い換えると、リアルタイムの行動を示す行動情報をユーザ端末１０へ提供してもよい。これにより、ユーザＵの購買意欲をより高めることができる。
【０１２５】
具体的に説明すると、図１３に示すように、例えば記憶部７０は、ユーザ行動情報記憶部７５をさらに備える。
【０１２６】
〔６．１．ユーザ行動情報記憶部７５〕
ユーザ行動情報記憶部７５は、ユーザＵの購入に関連する現時点での行動を示す行動情報を記憶する。図１４は、ユーザ行動情報記憶部７５の一例を示す図である。図７に示すように、ユーザ行動情報記憶部７５には、「ユーザＩＤ」、「ユーザ名」および「購入に関連する行動」のそれぞれの情報が含まれ、これらの情報は互いに関連付けられている。
【０１２７】
「ユーザＩＤ」は、ユーザＵを識別するための識別情報である。「ユーザ名」は、例えばユーザＵがインターネット上で設定したニックネームなどを示す情報である。「購入に関連する行動」は、例えば、ユーザＵの購入に関連する現時点での行動の内容を示す情報である。かかる行動の内容を示す情報としては、商品のライブ動画を視聴していることを示す「視聴中」、商品に対する決済前操作を行ったことを示す「カートに入れている」、商品の決済処理などが完了したことを示す「購入済み」などがあるが、これらに限定されるものではない。なお、上記した「視聴中」は、決済前操作や決済処理などが行われない状態でユーザＵがライブ動画を視聴していることを示すが、これに限られない。
【０１２８】
図１４に示す例では、ユーザ行動情報記憶部７５のユーザＩＤ「Ｄ１」は、ユーザ名が「Ｅ１」、購入に関連する行動が「視聴中」であることを示している。なお、ユーザ行動情報記憶部７５の情報は、ユーザＵの現時点での行動を示す情報であることから、時間が経過してユーザＵの行動が変化するたびに適宜に更新されるものとする。
【０１２９】
〔６．２．制御部６０〕
図１３に戻って、第２実施形態に係る情報処理の説明を続ける。上記したように、制御部６０の提供部６５によってライブ動画が商品の販売情報としてユーザ端末１０へ提供される際、取得部６２は、ユーザ行動情報記憶部７５を読み込んで、ユーザＵの購入に関連する行動を示す行動情報を取得する。なお、取得部６２は、取得した行動情報を提供部６５へ通知する。
【０１３０】
そして、提供部６５は、取得部６２によって取得された行動情報を、上記したライブ動画を含む商品の販売情報や、決定部６４によって決定された店舗の情報とともにユーザ端末１０へ提供してもよい。
【０１３１】
ここで、ライブ動画や行動情報などが提供されたユーザ端末１０の表示部１２の購入画面例について図１５を参照して説明する。図１５は、ライブ動画や行動情報などが表示された購入画面例を示す図である。なお、図１５に示す購入画面では、店舗の情報の一部を省略している。
【０１３２】
図１５に示すように、ユーザ端末１０の表示部１２には、ライブ動画１０１ｃ等を含む販売情報１０１が表示されるとともに、ユーザＵの購入に関連する現時点での行動を示す行動情報１０７も表示される。
【０１３３】
例えば、提供部６５は、商品の決済処理が完了したユーザＵがいる場合、詳しくは、ユーザ行動情報記憶部７５の「購入に関連する行動」が「カートに入れている」から「購入済み」に更新されたユーザＵがいる場合、かかるユーザＵの行動情報を提供して表示欄１０７ａに表示させてもよい。
【０１３４】
図１５の例では、表示欄１０７ａに「Ｅ３さんが今  購入しました」などの行動情報が表示される。このように、例えば、商品が今現在どんどん売れていることを示す行動情報をユーザＵに対して提供することで、ユーザＵに対して早く購入しないと売り切れてしまうという緊張感を与えることが可能となり、よって商品に対するユーザＵの購買意欲をより高めることができる。なお、行動情報は、文字での表示に限られるものではなく、例えばアニメーションや音などを用いて提供されてもよい。
【０１３５】
また、例えば、提供部６５は、現時点で商品を購入したユーザＵの人数を示す情報をユーザＵの行動情報としてユーザ端末１０へ提供して表示欄１０７ｂに表示させてもよい。具体的には、例えば、提供部６５は、ユーザ行動情報記憶部７５の「購入に関連する行動」における「購入済み」の数を算出したり、またはページ情報記憶部７４の「購入数」を参照したりすることで、購入したユーザＵの人数を示す情報を得て、かかる情報をユーザ端末１０へ提供することができる。
【０１３６】
例えば、図１５では、表示欄１０７ｂに「２０人が既に購入しました」などの行動情報が表示される。このように、例えば、現時点で商品を購入したユーザ数を行動情報としてユーザＵに対して提供することで、ユーザＵに対して早く購入しないと売り切れてしまうという緊張感を与えることが可能となり、よって商品に対するユーザＵの購買意欲をより高めることができる。
【０１３７】
また、例えば、提供部６５は、現時点でライブ動画を視聴しているユーザＵの人数を示す情報をユーザＵの行動情報としてユーザ端末１０へ提供して表示欄１０７ｃに表示させてもよい。具体的には、例えば、提供部６５は、ユーザ行動情報記憶部７５の「購入に関連する行動」における「視聴中」の数を算出することで、視聴しているユーザＵの人数を示す情報を得て、かかる情報をユーザ端末１０へ提供することができる。
【０１３８】
例えば、図１５では、表示欄１０７ｃに「視聴ユーザが１００００人を突破」などの行動情報が表示される。このように、例えば、商品のライブ動画の視聴ユーザが増えていることを示す行動情報を他のユーザＵに対して提供することで、商品を購入についてのライバルが増えていることをユーザＵに対して認識させることが可能となり、よって商品に対するユーザＵの購買意欲をより高めることができる。
【０１３９】
また、提供部６５は、ライブ動画を用いた販売を開始してから変化する行動情報の現時点での情報をユーザ端末１０へ提供してもよい。
【０１４０】
例えば、提供部６５は、ライブ動画を用いた販売を開始してから決算前操作を行ったユーザＵの現時点での人数の情報をユーザ端末１０へ提供して表示欄１０７ｄに表示させてもよい。具体的には、例えば、提供部６５は、ライブ動画を用いた販売の開始後に、ユーザ行動情報記憶部７５の「購入に関連する行動」が「視聴中」から「カートに入れている」に更新されたユーザＵの数を算出することで、決算前操作を行ったユーザＵの現時点での人数を示す情報を得ることができる。すなわち、提供部６５は、ライブ動画を用いた販売の前にカートに入れていた人数を除くようにしている。そして、提供部６５は、かかる情報をユーザ端末１０へ提供する。
【０１４１】
図１５に示す例では、表示欄１０７ｄに「カートに入れた人が３０人増えました」などの行動情報が表示される。このように、例えば、カートに入れた人数など、ライブ動画を用いた販売を開始してから変化する情報をユーザＵに対して提供することで、ライブ動画を通じて商品に興味を持って購入しようとしている人が増えていることを、ユーザＵに対して認識させることができる。これにより、ユーザＵに対して早く購入しないと売り切れてしまうという緊張感を与えることが可能となり、よって商品に対するユーザＵの購買意欲をより高めることができる。
【０１４２】
なお、図１５では、ユーザＵの購入に関連する現時点での行動を示す行動情報１０７として表示欄１０７ａ〜１０７ｄを示したが、これらはあくまでも例示であって限定されるものではなく、例えば、表示欄１０７ａ〜１０７ｄのうちの１つまたは２つ以上が表示されるようにしてもよい。また、行動情報１０７の内容も上記に限られない。
【０１４３】
図１３の説明を続けると、提供部６５は、例えば、ライブ動画を用いた販売中に決済前動作が行われた場合、決済前動作が行われた時点での、所定の価格の変更に関する変更情報に基づいて、購入決定画面の情報をユーザ端末１０へ提供する。
【０１４４】
例えば、提供部６５は、ライブ動画を用いた販売中に「カートに入れる」ボタン１２０ａ（図１５参照）がユーザＵによって押下されて決済前操作がなされた場合、決済前操作がなされた時点での変更情報たるクーポン情報（図１５の例では「１０００円ＯＦＦ」）が適用され、下げられた所定の価格が表示される購入決定画面の情報をユーザ端末１０へ提供する。
【０１４５】
言い換えると、提供部６５は、ライブ動画を用いた販売前に「カートに入れる」ボタン１２０ａがユーザＵによって押下されて決済前操作がなされた場合、ライブ動画を用いた販売におけるクーポン情報は適用されず、ライブ動画を用いた販売前の所定の価格（図１５の例では「３００００円」）が表示される購入決定画面の情報をユーザ端末１０へ提供する。
【０１４６】
このように、ライブ動画を視聴した方が商品を安価に購入できる可能性があることから、ユーザＵに対してライブ動画の視聴を促すことができる。なお、購入決定画面の情報がユーザ端末１０へ提供された後に、ユーザ端末１０から商品の購入要求を受け付けると、処理部６６によって商品の決済などの販売処理が行われることは既に述べた通りである。
【０１４７】
〔７．効果〕
情報処理装置５０は、取得部６２と、決定部６４とを備える。取得部６２は、販売対象の商品またはサービスに関する販売情報を取得する。決定部６４は、取得部６２によって取得された販売情報に基づいて、商品またはサービスを購入するための購入画面に一覧で表示される店舗の情報であって、商品またはサービスを所定の価格で販売する店舗の情報を決定する。
【０１４８】
これにより、ユーザＵは、店舗の選択肢が広がって店舗を選び易くなり、結果として商品に対するユーザＵの購買意欲を高めることができる。
【０１４９】
また、情報処理装置５０は、所定の価格を所定の条件を満たす場合に下げる価格変更部６３を備える。これにより、例えば、所定の時間に限り、商品の価格を段階的に下げるなどのタイムセールを行うことが可能となり、商品に対するユーザＵの購買意欲を高めることができる。
【０１５０】
また、価格変更部６３は、所定の価格を時間の経過に応じて下げる。これにより、ユーザＵは、商品の価格がさらに下がることを期待し易くなり、よって商品に対するユーザＵの購買意欲をより高めることができる。
【０１５１】
また、決定部６４は、価格変更部６３によって所定の価格が下げられた場合、一覧で表示される店舗の情報を、下げられた所定の価格で販売可能な店舗の情報に更新する。これにより、一覧で表示される店舗の情報を、下げられた所定の価格に即した適切な情報にすることが可能となる。
【０１５２】
また、取得部６２は、販売情報を記憶する販売情報記憶部７１（第１記憶部の一例）に記憶されている販売情報に含まれる所定の価格の情報と、所定の価格の変更に関する変更情報を記憶する変更情報記憶部７２（第２記憶部の一例）に記憶されている変更情報とを取得する。そして、価格変更部６３は、取得部６２によって取得された所定の価格の情報と変更情報とに基づいて、所定の価格を下げる。
【０１５３】
このように、価格変更部６３は、販売情報記憶部７１と変更情報記憶部７２とに別々に記憶される所定の価格の情報と変更情報とに基づいて、所定の価格を下げるようにした。これにより、例えば、販売情報記憶部７１に記憶される所定の価格の情報自体を変更することなく、値引きの処理が可能となる。そのため、例えば、値下げのたびに、販売情報記憶部７１の情報を値下げした所定の価格に書きかえる処理を行う場合に比べて、情報処理装置５０の処理負荷を軽減することができる。
【０１５４】
また、情報処理装置５０は、商品またはサービスの残数を示す残数情報（例えば在庫情報）を、決定部６４によって決定された店舗の情報とともに提供する提供部６５を備える。これにより、例えば、商品の在庫数が少なくなったような場合は、ユーザＵに対して早く購入しないと売り切れてしまうという緊張感を与えることが可能となり、よって商品に対するユーザＵの購買意欲をより高めることができる。
【０１５５】
また、情報処理装置５０は、商品またはサービスの購入に関連するユーザの情報を、決定部６４によって決定された店舗の情報とともに提供する提供部６５を備える。これにより、商品に対するユーザＵの購買意欲をより高めることができる。
【０１５６】
また、情報処理装置５０は、店舗ごとに設定される、商品またはサービスの下限の価格である最低価格を示す最低価格情報を、決定部６４によって決定された店舗の情報とともに提供する提供部６５を備える。これにより、ユーザＵは、例えば、在庫数の減り方やカートに入れた数の増え方などを確認しながら、商品の価格が最低価格に下がるまで待って購入したり、最低価格に下がる前に購入したりするなど、楽しみながら商品を購入することが可能となり、よってユーザＵの購買意欲をより高めることができる。
【０１５７】
また、決定部６４は、最低価格情報に基づいて、一覧で表示される店舗の情報における店舗の表示順を決定する。これにより、例えば、店舗の情報の一覧において、商品を可能な限り安価で販売しようとしている店舗が上位に表示されることから、かかる店舗でユーザＵは商品を購入し易くなり、結果として最低価格が低い店舗の売り上げにつなげることができる。
【０１５８】
また、取得部６２は、店舗に対するユーザの評価に関する情報、店舗の販売実績に関する情報、店舗における商品の発送に関する情報、および、店舗の広告に関する情報のうちの少なくともいずれか一つを含む店舗関連情報を取得する。そして、決定部６４は、取得部６２によって取得された店舗関連情報に基づいて、一覧で表示される店舗の情報における店舗の表示順を決定する。これにより、商品に対するユーザＵの購買意欲をより一層高めることができる。
【０１５９】
〔８．ハードウェア構成〕
上述した実施形態における情報処理装置５０は、例えば図１６に示すような構成のコンピュータ１０００がプログラムを実行することによって実現される。
【０１６０】
図１６は、プログラムを実行するコンピュータのハードウェア構成の一例を示す図である。コンピュータ１０００は、ＣＰＵ（Central  Processing  Unit）１１００、ＲＡＭ（Random  Access  Memory）１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、およびメディアインターフェイス（Ｉ／Ｆ）１７００を備える。
【０１６１】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１６２】
ＨＤＤ１４００は、ＣＰＵ１１００によって実行されるプログラムによって使用されるデータ等を格納する。通信インターフェイス１５００は、通信部５１に対応し、ネットワークＮを介して他の機器からデータを受信してＣＰＵ１１００へ送り、ＣＰＵ１１００が生成したデータを、ネットワークＮを介して他の機器へ送信する。
【０１６３】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１６４】
メディアインターフェイス１７００は、記録媒体１８００に格納されたプログラムまたはデータを読み取り、ＲＡＭ１２００を介してＣＰＵ１１００に提供する。ＣＰＵ１１００は、当該プログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１６５】
コンピュータ１０００が情報処理装置５０として機能する場合、コンピュータ１０００のＣＰＵ１１００は、ＲＡＭ１２００上にロードされたプログラムを実行することにより、図４，１３に示す受付部６１、取得部６２、価格変更部６３、決定部６４、提供部６５および処理部６６の各機能を実現する。
【０１６６】
コンピュータ１０００のＣＰＵ１１００は、これらのプログラムを、記録媒体１８００から読み取って実行するが、他の例として、他の装置から、ネットワークＮを介してこれらのプログラムを取得してもよい。
【０１６７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１６８】
〔９．その他〕  
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１６９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１７０】
また、上述してきた第１、第２実施形態は、処理内容を矛盾させない範囲で適宜組み合わせることが可能である。
【０１７１】
また、上記してきた「部（section、module、unit）」は、「手段」や「回路」などに読み替えることができる。例えば、取得部６２は、取得手段や取得回路に読み替えることができる。
【符号の説明】
【０１７２】
１  情報処理システム
１０  ユーザ端末
４０  店舗端末
５０  情報処理装置
６０  制御部
６１  受付部
６２  取得部
６３  価格変更部
６４  決定部
６５  提供部
６６  処理部
【図１】
2019113894.tif 000003
【図２】
2019113894.tif 000004
【図３】
2019113894.tif 000005
【図４】
2019113894.tif 000006
【図５】
2019113894.tif 000007
【図６】
2019113894.tif 000008
【図７】
2019113894.tif 000009
【図８】
2019113894.tif 000010
【図９】
2019113894.tif 000011
【図１０】
2019113894.tif 000012
【図１１】
2019113894.tif 000013
【図１２】
2019113894.tif 000014
【図１３】
2019113894.tif 000015
【図１４】
2019113894.tif 000016
【図１５】
2019113894.tif 000017
【図１６】
2019113894.tif 000018
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
販売対象の商品またはサービスに関する販売情報を記憶部から取得する取得部と、
前記取得部によって前記記憶部から取得された前記販売情報に基づいて、前記商品またはサービスを購入するための購入画面に一覧で表示される店舗の情報であって、前記商品またはサービスを所定の価格で販売する店舗の情報を決定する決定部と、
前記商品またはサービスの購入を所望するユーザの操作を示す情報を、前記決定部によって決定された前記店舗の情報とともに提供する提供部と
を備えることを特徴とする情報処理装置。
【請求項２】
前記所定の価格を所定の条件を満たす場合に下げる価格変更部
をさらに備えることを特徴とする請求項１に記載の情報処理装置。
【請求項３】
前記価格変更部は、
前記所定の価格を時間の経過に応じて下げる
ことを特徴とする請求項２に記載の情報処理装置。
【請求項４】
前記決定部は、
前記価格変更部によって前記所定の価格が下げられた場合、一覧で表示される前記店舗の情報を、下げられた前記所定の価格で販売可能な前記店舗の情報に更新する
ことを特徴とする請求項２または３に記載の情報処理装置。
【請求項５】
前記取得部は、
前記販売情報を記憶する第１記憶部に記憶されている前記販売情報に含まれる前記所定の価格の情報と、前記所定の価格の変更に関する変更情報を記憶する第２記憶部に記憶されている前記変更情報とを取得し、
前記価格変更部は、
前記取得部によって取得された前記所定の価格の情報と前記変更情報とに基づいて、前記所定の価格を下げる
ことを特徴とする請求項２〜４のいずれか一つに記載の情報処理装置。
【請求項６】
前記商品またはサービスの残数を示す残数情報を、前記決定部によって決定された前記店舗の情報とともに提供する提供部
をさらに備えることを特徴とする請求項１〜５のいずれか一つに記載の情報処理装置。
【請求項７】
前記店舗ごとに設定される、前記商品またはサービスの下限の価格である最低価格を示す最低価格情報を、前記決定部によって決定された前記店舗の情報とともに提供する提供部
をさらに備えることを特徴とする請求項１〜６のいずれか一つに記載の情報処理装置。
【請求項８】
前記決定部は、
前記最低価格情報に基づいて、一覧で表示される店舗の情報における前記店舗の表示順を決定する
ことを特徴とする請求項７に記載の情報処理装置。
【請求項９】
前記取得部は、
前記店舗に対するユーザの評価に関する情報、前記店舗の販売実績に関する情報、前記店舗における前記商品の発送に関する情報、および、前記店舗の広告に関する情報のうちの少なくともいずれか一つを含む店舗関連情報を取得し、
前記決定部は、
前記取得部によって取得された前記店舗関連情報に基づいて、一覧で表示される店舗の情報における前記店舗の表示順を決定する
ことを特徴とする請求項１〜８のいずれか一つに記載の情報処理装置。
【請求項１０】
コンピュータが実行する情報処理方法であって、
販売対象の商品またはサービスに関する販売情報を記憶部から取得する取得工程と、
前記取得工程によって前記記憶部から取得された前記販売情報に基づいて、前記商品またはサービスを購入するための購入画面に一覧で表示される店舗の情報であって、前記商品またはサービスを所定の価格で販売する店舗の情報を決定する決定工程と、
前記商品またはサービスの購入を所望するユーザの操作を示す情報を、前記決定工程によって決定された前記店舗の情報とともに提供する提供工程と
を含むことを特徴とする情報処理方法。
【請求項１１】
販売対象の商品またはサービスに関する販売情報を記憶部から取得する取得手順と、
前記取得手順によって前記記憶部から取得された前記販売情報に基づいて、前記商品またはサービスを購入するための購入画面に一覧で表示される店舗の情報であって、前記商品またはサービスを所定の価格で販売する店舗の情報を決定する決定手順と、
前記商品またはサービスの購入を所望するユーザの操作を示す情報を、前記決定手順によって決定された前記店舗の情報とともに提供する提供手順と
をコンピュータに実行させることを特徴とする情報処理プログラム。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
販売対象の商品またはサービスに関する販売情報を記憶部から取得する取得部と、
前記取得部によって前記記憶部から取得された前記販売情報に基づいて、前記商品またはサービスを購入するための購入画面に一覧で表示される店舗の情報であって、前記商品またはサービスを所定の価格で販売する店舗の情報を決定する決定部と、
前記商品またはサービスの購入を所望するユーザの決済前の操作である決済前操作であって、前記商品またはサービスの販売を開始してから前記決済前操作が行われた回数の変化を示す情報を、前記決定部によって決定された前記店舗の情報とともに提供する提供部と
を備えることを特徴とする情報処理装置。
【請求項２】
前記所定の価格を所定の条件を満たす場合に下げる価格変更部
をさらに備えることを特徴とする請求項１に記載の情報処理装置。
【請求項３】
前記価格変更部は、
前記所定の価格を時間の経過に応じて下げる
ことを特徴とする請求項２に記載の情報処理装置。
【請求項４】
前記決定部は、
前記価格変更部によって前記所定の価格が下げられた場合、一覧で表示される前記店舗の情報を、下げられた前記所定の価格で販売可能な前記店舗の情報に更新する
ことを特徴とする請求項２または３に記載の情報処理装置。
【請求項５】
前記取得部は、
前記販売情報を記憶する第１記憶部に記憶されている前記販売情報に含まれる前記所定の価格の情報と、前記所定の価格の変更に関する変更情報を記憶する第２記憶部に記憶されている前記変更情報とを取得し、
前記価格変更部は、
前記取得部によって取得された前記所定の価格の情報と前記変更情報とに基づいて、前記所定の価格を下げる
ことを特徴とする請求項２〜４のいずれか一つに記載の情報処理装置。
【請求項６】
前記商品またはサービスの残数を示す残数情報を、前記決定部によって決定された前記店舗の情報とともに提供する提供部
をさらに備えることを特徴とする請求項１〜５のいずれか一つに記載の情報処理装置。
【請求項７】
前記店舗ごとに設定される、前記商品またはサービスの下限の価格である最低価格を示す最低価格情報を、前記決定部によって決定された前記店舗の情報とともに提供する提供部
をさらに備えることを特徴とする請求項１〜６のいずれか一つに記載の情報処理装置。
【請求項８】
前記決定部は、
前記最低価格情報に基づいて、一覧で表示される店舗の情報における前記店舗の表示順を決定する
ことを特徴とする請求項７に記載の情報処理装置。
【請求項９】
前記取得部は、
前記店舗に対するユーザの評価に関する情報、前記店舗の販売実績に関する情報、前記店舗における前記商品の発送に関する情報、および、前記店舗の広告に関する情報のうちの少なくともいずれか一つを含む店舗関連情報を取得し、
前記決定部は、
前記取得部によって取得された前記店舗関連情報に基づいて、一覧で表示される店舗の情報における前記店舗の表示順を決定する
ことを特徴とする請求項１〜８のいずれか一つに記載の情報処理装置。
【請求項１０】
コンピュータが実行する情報処理方法であって、
販売対象の商品またはサービスに関する販売情報を記憶部から取得する取得工程と、
前記取得工程によって前記記憶部から取得された前記販売情報に基づいて、前記商品またはサービスを購入するための購入画面に一覧で表示される店舗の情報であって、前記商品またはサービスを所定の価格で販売する店舗の情報を決定する決定工程と、
前記商品またはサービスの購入を所望するユーザの決済前の操作である決済前操作であって、前記商品またはサービスの販売を開始してから前記決済前操作が行われた回数の変化を示す情報を、前記決定工程によって決定された前記店舗の情報とともに提供する提供工程と
を含むことを特徴とする情報処理方法。
【請求項１１】
販売対象の商品またはサービスに関する販売情報を記憶部から取得する取得手順と、
前記取得手順によって前記記憶部から取得された前記販売情報に基づいて、前記商品またはサービスを購入するための購入画面に一覧で表示される店舗の情報であって、前記商品またはサービスを所定の価格で販売する店舗の情報を決定する決定手順と、
前記商品またはサービスの購入を所望するユーザの決済前の操作である決済前操作であって、前記商品またはサービスの販売を開始してから前記決済前操作が行われた回数の変化を示す情報を、前記決定手順によって決定された前記店舗の情報とともに提供する提供手順と
をコンピュータに実行させることを特徴とする情報処理プログラム。